(57)【要約】【課題】半導体装置の機能や無線機能が失われた場合においても半導体装置の電源を再起動することなく機能回復することができ、また、動作不要の場合には無線機能を停止して低消費電力動作が可能な半導体装置を得ること。【解決手段】無線通信に関する各種処理を行う無線通信処理手段と、無線通信処理手段からのデータを基に各種機能を処理する機能処理手段と、を備えた半導体装置であって、機能処理手段は、自装置向けの無線データが送信される旨の制御信号が有線信号により入力される制御信号入出力部と、自手段のリセットを指示するリセット信号が有線信号により入力されるリセット信号入力部と、を有し、リセット信号入力部にリセット信号が入力された場合に該リセット信号に従って自手段のリセットを行い、無線通信処理手段は、自手段のリセットを指示する無線通信処理リセット信号が有線信号により入力される無線通信処理リセット信号入力部を有する。【選択図】        図１
2006268300.tif 000002
【特許請求の範囲】
【請求項１】
無線通信機能および個体識別機能を有する半導体チップまたはマルチチップモジュールを用いて構成され、無線通信に関する各種処理を行う無線通信処理手段と、前記無線通信処理手段からのデータを基に各種機能を処理する機能処理手段と、を備えた半導体装置であって、
前記機能処理手段は、
自装置向けの無線データが送信される旨の制御信号が有線信号により入力される制御信号入出力部と、
自手段のリセットを指示するリセット信号が有線信号により入力されるリセット信号入力部と、
を有し、
前記リセット信号入力部に前記リセット信号が入力された場合に該リセット信号に従って自手段のリセットを行い、
前記無線通信処理手段は、
自手段のリセットを指示する無線通信処理リセット信号が有線信号により入力される無線通信処理リセット信号入力部を有し、
前記無線通信処理リセット信号入力部に前記無線通信処理リセット信号が入力された場合に該無線通信処理リセット信号に従って自手段のリセットを行い、また、前記機能処理手段に前記自装置向けの無線データが送信される旨の制御信号が入力された場合のみ無線データを受信すること、
を特徴とする半導体装置。
【請求項２】
前記機能処理手段が、前記無線通信処理手段の動作状態を監視するとともに該無線通信処理手段の機能が喪失している場合には該無線通信処理手段のリセットを指示する前記無線通信処理リセット信号を生成して該無線通信処理手段に送出する監視部を備えること
を特徴とする請求項１に記載の半導体装置。
【請求項３】
前記無線通信処理手段は、前記制御信号入出力部に前記自装置向けの無線データが送信される旨の制御信号が入力されない場合に無線通信機能を停止すること
を特徴とする請求項１に記載の半導体装置。
【請求項４】
前記無線通信処理手段は、無線通信機能の停止を指示する無線通信機能停止信号が有線信号により入力された場合に該無線通信機能停止信号に基づいて無線通信機能の停止制御を行う無線通信機能停止制御部を備えること
を特徴とする請求項３に記載の半導体装置。
【請求項５】
前記機能処理手段が、前記自装置向けの無線データが送信される旨の制御信号が前記制御信号入出力部に入力されない場合に前記無線通信機能停止信号を生成して前記無線通信処理手段に送出する無線通信機能制御部を備えること
を特徴とする請求項４に記載の半導体装置。
【請求項６】
前記機能処理手段のリセットを指示するリセット信号を、前記自装置向けの無線データが送信される旨の制御信号を基に生成するリセット信号生成部を備えること
を特徴とする請求項１に記載の半導体装置。
【請求項７】
無線通信機能および個体識別機能を有する半導体チップまたはマルチチップモジュールを用いて構成され、無線通信に関する各種処理を行う無線通信処理手段と、前記無線通信処理手段からのデータを基に各種機能を処理する機能処理手段と、を備えた半導体装置であって、
前記機能処理手段が、
自装置とデイジーチェーンで接続された他の半導体装置または外部の装置から、自装置向けの無線データが送信される旨の制御信号が有線信号により入力される制御信号入力部と、
前記デイジーチェーンで接続された他の半導体装置に対してデータ送信またはデータ要求を行う場合に該他の半導体装置向けの無線データを送信する旨の制御信号を有線信号により出力する制御信号出力部と、
前記自装置とデイジーチェーンで接続された他の半導体装置または外部の装置から、自手段のリセットを指示するリセット信号が有線信号により入力されるリセット信号入力部と、
前記自装置とデイジーチェーンで接続された他の半導体装置の機能処理手段に対してリセットを指示するリセット信号を有線信号により出力するリセット信号出力部と、
を有し、
前記リセット信号入力部に前記リセット信号が入力された場合に該リセット信号に従って自手段のリセットを行い、また、前記制御信号出力部から出力した制御信号に対して応答がない場合に前記他の半導体装置の機能処理手段に対してリセットを指示するリセット信号をリセット信号出力部が出力し、
前記無線通信処理手段が、
自手段のリセットを指示する無線通信処理リセット信号が有線信号により入力される無線通信処理リセット信号入力部と、
を有し、
前記無線通信処理リセット信号入力部に前記無線通信処理リセット信号が入力された場合に該無線通信処理リセット信号に従って自手段のリセットを行い、また、前記機能処理手段に前記自装置向けの無線データが送信される旨の制御信号が入力された場合のみ無線データを受信すること、
を特徴とする半導体装置。
【請求項８】
前記機能処理手段が、前記無線通信処理手段の動作状態を監視するとともに該無線通信処理手段の機能が喪失している場合には該無線通信処理手段のリセットを指示する前記無線通信処理リセット信号を生成して該無線通信処理手段に送出する監視部を備えること
を特徴とする請求項７に記載の半導体装置。
【発明の詳細な説明】
【技術分野】
【０００１】
本発明は、ＩＣ、ＬＳＩ等の半導体装置に関し、特に、半導体素子または半導体装置内にアンテナおよび無線送受信機能を内蔵し、半導体装置間の情報の授受を無線通信で行い、接続リード線が低減された半導体装置に関する。
【背景技術】
【０００２】
従来、無線機能を備えた半導体装置においては、信号や情報の授受をすべて無線通信で行う構成にしており、たとえば、半導体素子部にアンテナ及び無線送受信機能回路を装着し、前記半導体素子部と他の半導体素子部との間で電波による通信若しくは情報授受を行う半導体装置が提案されている（たとえば、特許文献１参照）。
【０００３】
【特許文献１】特開２００１−６０１３０号公報（第５−７頁、第２図）
【発明の開示】
【発明が解決しようとする課題】
【０００４】
しかしながら、従来の無線機能を備えた半導体装置においては、電源供給以外の信号や情報の授受を、すべてリード端子を介さずに無線通信で行っている。このため、半導体装置の機能および無線通信機能がノイズなどにより誤動作して機能を喪失した場合には、無線以外に信号や情報の授受手段がないため、電源をオフにして再起動する以外に機能復帰の方法がないという問題があった。
【０００５】
また、通常、半導体装置の電源はプリント配線板から一括してすべての半導体装置に供給されているため、このような無線機能を備えた半導体装置を複数使用したシステムにおいては、システム全体を電源オフによりリセットする以外に機能復帰の方法がないという問題もあった。さらに、また、正常動作中の場合も無線通信のため、特定の半導体装置にのみ必要な信号や情報についてもすべての半導体装置が受信し、信号や情報の要、不要を判断する必要があり低消費電力動作ができないという問題もあった。
【０００６】
本発明は、上記に鑑みてなされたものであって、半導体装置の各種機能や無線通信機能が失われた場合においても半導体装置全体の電源を再起動することなく機能回復することができ、また、動作不要の場合には無線機能を停止して低消費電力動作が可能な半導体装置を得ることを目的とする。
【課題を解決するための手段】
【０００７】
上述した課題を解決し、目的を達成するために、本発明にかかる半導体装置は、無線通信機能および個体識別機能を有する半導体チップまたはマルチチップモジュールを用いて構成され、無線通信に関する各種処理を行う無線通信処理手段と、無線通信処理手段からのデータを基に各種機能を処理する機能処理手段と、を備えた半導体装置であって、機能処理手段は、自装置向けの無線データが送信される旨の制御信号が有線信号により入力される制御信号入出力部と、自手段のリセットを指示するリセット信号が有線信号により入力されるリセット信号入力部と、を有し、リセット信号入力部にリセット信号が入力された場合に該リセット信号に従って自手段のリセットを行い、無線通信処理手段は、自手段のリセットを指示する無線通信処理リセット信号が有線信号により入力される無線通信処理リセット信号入力部を有し、無線通信処理リセット信号入力部に無線通信処理リセット信号が入力された場合に該無線通信処理リセット信号に従って自手段のリセットを行い、また、機能処理手段に自装置向けの無線データが送信される旨の制御信号が入力された場合のみ無線データを受信すること、を特徴とする。
【発明の効果】
【０００８】
この発明によれば、半導体装置の一部の機能や無線通信機能が失われた場合においても半導体装置の電源を再起動することなく、障害の生じた機能部のみを独立して機能回復することができ、また、動作不要の場合には無線機能を停止して低消費電力動作が可能な半導体装置を得ることができる、という効果を奏する。
【発明を実施するための最良の形態】
【０００９】
以下に、本発明にかかる半導体装置の実施の形態を図面に基づいて詳細に説明する。なお、本発明は以下の記述に限定されるものではなく、本発明の要旨を逸脱しない範囲において適宜変更可能である。
【００１０】
実施の形態１．
実施の形態１では、無線通信機能および個体識別機能を有する半導体チップまたはマルチチップモジュールを用いて構成され、無線通信に関する各種処理を行う無線通信処理手段と、無線通信処理手段からのデータを基に各種機能を処理する機能処理手段と、を備えた半導体装置であって、機能処理手段は、自装置向けの無線データが送信される旨の制御信号が有線信号により入力される制御信号入出力部と、自手段のリセットを指示するリセット信号が有線信号により入力されるリセット信号入力部と、を有し、リセット信号入力部にリセット信号が入力された場合に該リセット信号に従って自手段のリセットを行い、無線通信処理手段は、自手段のリセットを指示する無線通信処理リセット信号が有線信号により入力される無線通信処理リセット信号入力部を有し、無線通信処理リセット信号入力部に無線通信処理リセット信号が入力された場合に該無線通信処理リセット信号に従って自手段のリセットを行い、また、機能処理手段に自装置向けの無線データが送信される旨の制御信号が入力された場合のみ無線データを受信すること、を特徴とする半導体装置について説明する。
【００１１】
図１は、本発明の実施の形態１にかかる半導体装置の概略構成を示す概略構成図である。図１に示すように、本実施の形態にかかる半導体装置は、半導体チップ上に、または複数の半導体チップもしくはマルチチップモジュールを用いて構成される無線通信機能および個体識別機能を有する機能ユニット１を有する。機能ユニット１は、無線通信に関する各種処理を行う無線通信処理手段としてアンテナ部２と無線処理部３とベースバンド処理部４とを有する。また、機能ユニット１は、ＢＵＳコントローラ５と、ＲＯＭ―ＳＲＡＭ６と、無線通信処理手段からのデータを基に各種機能を処理する機能処理手段としての機能処理部７と、を備えて構成されている。
【００１２】
アンテナ部２は、無線データの送受信を行う手段である。無線処理部３は、無線通信に関する処理を行う手段である。ベースバンド処理部４は、種々のデータを無線通信用に変調する手段である。ＢＵＳコントローラ５は、種々のデータを管理、制御する手段である。ＲＯＭ―ＳＲＡＭ６は、種々のデータを記憶する記憶手段である。機能処理部７は、種々の機能を実現する手段である。
【００１３】
また、機能処理部７には、自機能処理部７のリセットを指示するリセット信号が有線信号により入力されるリセット信号入力部１０と、自装置向けの無線データが送信される旨の割り込み制御信号が有線信号により入出力される割り込み制御信号入出力部３０と、を有している。そして、機能処理部７は、リセット信号入力部１０にリセット信号が入力された場合に該リセット信号に従って自機能処理部７のリセットを行う。
【００１４】
ベースバンド処理部４には、無線通信処理手段のリセットを指示する無線通信処理リセット信号が有線信号により入力される無線通信処理リセット信号入力部２０を有している。そして、無線通信処理手段であるアンテナ部２と無線処理部３とベースバンド処理部４とは、無線通信処理リセット信号入力部２０に無線通信処理リセット信号が入力された場合に該無線通信処理リセット信号に従って自身のリセットを行う。また、アンテナ部２は、機能処理部７に自装置向けの無線データが送信される旨の割り込み制御信号が入力された場合のみ、無線データを受信する。
【００１５】
つぎに、この半導体装置の基本的な動作を説明する。この半導体装置は、アンテナ部２において無線データの送受信を行い、受信した無線データは無線処理部３およびベースバンド処理部４において復調等無線通信に関する所定の処理が施されてＢＵＳコントローラ５に送られる。ＢＵＳコントローラ５に送られたデータは、ここでＲＯＭ―ＳＲＡＭ６に記憶される、または機能処理部７に送られる等の制御が行われる。データが機能処理部７に送られると、該機能処理部７ではこのデータを基に種々の機能を実行する。
【００１６】
つぎに、本実施の形態にかかる半導体装置の特徴について説明する。以上のように構成された本実施の形態にかかる半導体装置においては、機能処理部７が備える割込み制御信号入出力部３０に割り込み制御信号が入力されることにより、自装置の機能ユニット１向けに無線データが送信されることを、実際に無線データを受信して復調することなく、事前に知ることができる。
【００１７】
これにより、機能処理部７の割込み制御信号入出力部３０に割り込み制御信号の入力が無い場合は自装置向けの無線データが送信されないため、送信されている無線データを受信して復調する動作が不要となる。すなわち、この半導体装置においては、特定の半導体装置にのみ必要な信号や情報についてもすべて受信して復調し、信号や情報の要、不要を判断する必要がない。したがって、この半導体装置では、自装置向けの無線データが送信された場合にのみ、該自装置向けの無線データを受信して後工程の処理を行えるため、半導体装置の低消費電力化を図ることができる。
【００１８】
また、割込み制御信号はステータス信号であるため有線信号ではあるが、有線のＢＵＳ信号と比べると、プリント配線板上でのパターン配線を容易に実現することができ、ノイズの影響も少ない。
【００１９】
また、機能処理部７にリセット信号入力部１０を設けて外部からリセット信号を入力可能な構成とすることで、機能処理部７のみを独立してリセットし、機能復帰することが可能である。これにより、機能処理部７が機能を喪失した場合においても、機能ユニット１全体の電源をオフにして再起動する必要がなく、外部より機能処理部７のリセット信号入力部１０にリセット信号を入力することにより、簡単に機能処理部７のみを独立してリセットし、容易に機能復帰することが可能である。
【００２０】
一般には、無線機能を備えた半導体装置においてはプリント配線板上のＩＣ、ＬＳＩ、モジュール等の電源は、それぞれを独立してオン、オフできるようには設計されない。このため、このような半導体装置において外部との情報や信号のやり取りをすべて無線で実現しようとした場合に、その構成部のどれかが機能を失った場合には、システム全体の電源をオフにするしか機能回復の手段がない。
【００２１】
しかしながら、本実施の形態にかかる半導体装置においては、上述したように機能処理部７にリセット信号入力部１０を設けて外部からリセット信号を入力可能な構成とすることで機能処理部７のみを独立してリセットして容易に機能復帰することが可能である。これにより、該半導体装置を複数使用して構成したシステムにおいても、システム全体の電源をオフにすることなく各半導体装置の機能処理部７のみを独立してリセットして容易に機能復帰することが可能である。
【００２２】
さらに、本実施の形態にかかる半導体装置においては、上述したようにベースバンド処理部４にも機能処理部７と独立した無線通信処理リセット信号入力部２０を設けている。これにより、機能喪失が発生し易い無線通信機能を独立してリセットすることが可能である。したがって、本実施の形態にかかる半導体装置においては、機能処理部７までもリセットすることなく無線通信機能のみを独立してリセットして容易に機能復帰することが可能である。そして、この半導体装置を複数使用して構成したシステムにおいても、システム全体の電源をオフにすることなく無線通信機能のみを独立してリセットして容易に機能復帰することが可能である。
【００２３】
実施の形態２．
実施の形態２では、上述した実施の形態１の半導体装置の構成において、機能処理手段が、無線通信処理手段の動作状態を監視するとともに該無線通信処理手段の機能が喪失している場合には該無線通信処理手段のリセットを指示する無線通信処理リセット信号を生成して該無線通信処理手段に送出する監視部を備える半導体装置について説明する。
【００２４】
図２は、本発明の実施の形態２にかかる半導体装置の概略構成を示す概略構成図である。図２に示すように、本実施の形態にかかる半導体装置は、上述した実施の形態１の場合と同様に、半導体チップ上に、または複数の半導体チップもしくはマルチチップモジュールを用いて構成される無線通信機能および個体識別機能を有する機能ユニット２０１を有する。機能ユニット２０１は、アンテナ部２と、無線処理部３と、ベースバンド処理部２０４と、ＢＵＳコントローラ５と、ＲＯＭ―ＳＲＡＭ６と、機能処理部２０７と、を備えて構成されている。
【００２５】
また、機能処理部２０７には、リセット信号入力部１０と、割り込み制御信号入出力部３０と、監視部２１０と、を有している。そして、ベースバンド処理部２０４は、無線通信処理リセット信号入力部２０と、ステータス信号生成部２２０と、を有している。なお、実施の形態１の場合と同様の構成については同じ符号を付することにより、ここでは詳細な説明は省略する。
【００２６】
本実施の形態にかかる半導体装置が上述した実施の形態１にかかる半導体装置と異なる点は、機能処理部２０７が監視部２１０を備えることと、ベースバンド処理部２０４がステータス信号生成部２２０を備えることである。
【００２７】
監視部２１０は、無線通信処理手段の動作状態を監視するとともに該無線通信処理手段が喪失している場合には該無線通信処理手段のリセットを指示する無線通信処理リセット信号２１を生成して該無線通信処理手段に送出する。また、ステータス信号生成部２２０は、ベースバンド処理部２０４の動作状況情報である無線部ステータス信号２３０を生成して監視部２１０に送信する。
【００２８】
以上のように構成された半導体装置は、機能処理部２０７へ割込み制御信号３１により割込み要求が有った場合には、監視部２１０はベースバンド処理部２０４から送信される無線部ステータス信号２３０を確認し、無線通信機能が利用可能か否かを判断する。そして、判断の結果、無線通信機能が喪失されている場合は、無線通信処理リセット信号２１を生成し、ベースバンド処理部２０４に送信する。ベースバンド処理部２０４では、無線通信処理リセット信号入力部２０が該無線通信処理リセット信号２１に基づいて無線通信機能をリセットする。
【００２９】
上述した本実施の形態にかかる半導体装置においては、監視部２１０を備えることにより、無線通信処理リセット信号２１を半導体装置の内部で生成して該無線通信処理手段に送出することができ、機能ユニット１の外部端子を１つ削減することが可能となる。
【００３０】
また、ベースバンド処理部２０４は、外来の無線データを扱っているため機能処理部２０７などと比べると不慮のノイズにより機能を喪失する可能性が高い。そこで、機能ユニット１の内部で無線通信処理リセット信号２１を生成して、ベースバンド処理部２０４に入力される外来のデータを減らした機能回復構成を有することにより、ベースバンド処理部２０４が機能を喪失する可能性を低減させることができ、また、複数の機能ユニットを組み合わせてシステムを構築する場合にシステムの制御を簡素にすることが可能となる。
【００３１】
実施の形態３．
実施の形態３では、上述した実施の形態１の半導体装置の構成において、無線通信処理手段が、制御信号入出力部に自装置向けの無線データが送信される旨の制御信号が入力されない場合に無線通信機能を停止することを特徴とする半導体装置、特に、無線通信処理手段が、無線通信機能の停止を指示する無線通信機能停止信号が有線信号により入力された場合に該無線通信機能停止信号に基づいて無線通信機能の停止制御を行う無線通信機能停止制御部を備える半導体装置について説明する。
【００３２】
図３は、本発明の実施の形態３にかかる半導体装置の概略構成を示す概略構成図である。図３に示すように、本実施の形態にかかる半導体装置は、上述した実施の形態１の場合と同様に、半導体チップ上に、または複数の半導体チップもしくはマルチチップモジュールを用いて構成される無線通信機能および個体識別機能を有する機能ユニット３０１を有する。機能ユニット３０１は、アンテナ部２と、無線処理部３０３と、ベースバンド処理部４と、ＢＵＳコントローラ５と、ＲＯＭ―ＳＲＡＭ６と、機能処理部７と、を備えて構成されている。
【００３３】
また、機能処理部７には、リセット信号入力部１０と、割り込み制御信号入出力部３０と、を有している。ベースバンド処理部４は、無線通信処理リセット信号入力部２０を有している。そして、無線処理部３０３は、無線処理部停止制御部３１０を有している。無線処理部停止制御部３１０は、割り込み制御信号入出力部３０に自装置向けの無線データが送信される旨の割り込み制御信号３１が入力されない場合に無線処理部３０３の無線通信機能の停止を指示する無線通信機能停止信号である無線処理部イネーブル信号３２０が有線信号により入力されると、該無線処理部イネーブル信号３２０に基づいて無線処理部３０３の機能の停止制御を行う。なお、上述した実施の形態と同様の構成については同じ符号を付することにより、ここでは詳細な説明は省略する。
【００３４】
本実施の形態にかかる半導体装置が上述した実施の形態１にかかる半導体装置と異なる点は、無線処理部３０３が無線処理部停止制御部３１０を備えることである。無線ＬＡＮなどの無線方式のネットワークでは、個別の機能ユニットを識別するために定期的にビーコンなどと呼ばれる信号を発信している。しかしながら、本発明においては、機能ユニット３０１は有線入力された割り込み制御信号３１によって選択されるので、該割り込み制御信号３１に従ってデータを授受すればよく、ビーコンなどの固体識別情報は不要となる。このため割り込み制御信号３１の入力がないときは、無線機能を無線処理部イネーブル信号３２０により停止する。これにより、不要な動作を削減することができ、半導体装置の低消費電力化を図ることができる。
【００３５】
なお、本実施の形態においては、実施の形態１にかかる半導体装置の構成において無線処理部３を無線処理部３０３に変更した場合について説明したが、実施の形態２にかかる半導体装置において無線処理部３を無線処理部３０３に変更した構成とすることも可能である。
【００３６】
実施の形態４．
実施の形態４では、上述した実施の形態２の半導体装置の構成において、機能処理手段が、自装置向けの無線データが送信される旨の制御信号が制御信号入出力部に入力されない場合に無線通信機能停止信号を生成して無線通信処理手段に送出する無線通信機能制御部を備える半導体装置について説明する。
【００３７】
図４は、本発明の実施の形態４にかかる半導体装置の概略構成を示す概略構成図である。図４に示すように、本実施の形態にかかる半導体装置は、上述した実施の形態２の場合と同様に、半導体チップ上に、または複数の半導体チップもしくはマルチチップモジュールを用いて構成される無線通信機能および個体識別機能を有する機能ユニット４０１を有する。機能ユニット４０１は、アンテナ部２と、無線処理部３０３と、ベースバンド処理部２０４と、ＢＵＳコントローラ５と、ＲＯＭ―ＳＲＡＭ６と、機能処理部４０７と、を備えて構成されている。
【００３８】
また、機能処理部４０７には、リセット信号入力部１０と、割り込み制御信号入出力部３０と、監視部２１０と、イネーブル信号生成部４１０と、を有している。ベースバンド処理部２０４は、無線通信処理リセット信号入力部２０と、ステータス信号生成部２２０と、を有している。そして、無線処理部３０３は、無線処理部停止制御部３１０を有している。
【００３９】
イネーブル信号生成部４１０は、割り込み制御信号入出力部３０に自装置向けの無線データが送信される旨の割り込み制御信号３１が入力されない場合に無線処理部３０３の無線通信機能の停止を指示する無線通信機能停止信号である無線処理部イネーブル信号３３０を生成して有線信号で無線処理部停止制御部３１０に出力する。無線処理部３０３では、無線処理部停止制御部３１０に無線処理部イネーブル信号３３０が入力されると、該無線処理部イネーブル信号３３０に従って無線処理部３０３の機能の停止制御を行う。なお、上述した実施の形態と同様の構成については同じ符号を付することにより、ここでは詳細な説明は省略する。
【００４０】
上述した本実施の形態にかかる半導体装置においては、イネーブル信号生成部４１０を備えることにより、無線処理部３０３の無線通信機能の停止を指示する無線通信機能停止信号である無線処理部イネーブル信号３３０を半導体装置の内部で生成して無線処理部３０３に送出することができ、機能ユニット４０１の外部端子を削減することができ、機能ユニット４０１の簡略化が可能となる。また、無線処理部３０３の不要な動作を削減することができ、半導体装置の低消費電力化を図ることができる。そして、機能ユニット４０１内部で無線処理部３０３のイネーブル機能を有することにより、複数の機能ユニットを組み合わせてシステムを構築する場合にシステムの制御を簡素にすることが可能となる。
【００４１】
実施の形態５．
実施の形態５では、上述した実施の形態４の半導体装置の構成において割り込み制御信号入出力部３０が入出力兼用であったのを割込み制御信号入力部と割込み制御信号出力部とに分離し、リセット信号出力部を追加した半導体装置について説明する。
【００４２】
図５は、本発明の実施の形態５にかかる半導体装置の概略構成を示す概略構成図である。図５に示すように、本実施の形態にかかる半導体装置は、上述した実施の形態４の場合と同様に、半導体チップ上に、または複数の半導体チップもしくはマルチチップモジュールを用いて構成される無線通信機能および個体識別機能を有する機能ユニット５０１を有する。機能ユニット５０１は、アンテナ部２と、無線処理部３０３と、ベースバンド処理部２０４と、ＢＵＳコントローラ５と、ＲＯＭ―ＳＲＡＭ６と、機能処理部５０７と、を備えて構成されている。
【００４３】
また、機能処理部５０７には、監視部２１０と、イネーブル信号生成部４１０と、リセット信号入力部１０と、リセット信号出力部５３０と、割り込み制御信号入力部５１０と、割り込み制御信号出力部５２０と、を有している。ベースバンド処理部２０４は、無線通信処理リセット信号入力部２０と、ステータス信号生成部２２０と、を有している。そして、無線処理部３０３は、無線処理部停止制御部３１０を有している。
【００４４】
割り込み制御信号入力部５１０は、自装置とデイジーチェーンで接続された他の半導体装置または外部の装置から自装置向けの無線データが送信される旨の割り込み制御信号５１１が有線信号により入力される。割り込み制御信号出力部５２０は、デイジーチェーンで接続された他の半導体装置に対してデータ送信またはデータ要求を行う場合に該他の半導体装置向けの無線データを送信する旨の割り込み制御信号５２１を有線信号により出力する。
【００４５】
リセット信号入力部１０は、自装置とデイジーチェーンで接続された他の半導体装置または外部の装置から、自機能処理部５０７のリセットを指示するリセット信号１１が有線信号により入力される。リセット信号出力部５３０は、自装置とデイジーチェーンで接続された他の半導体装置の機能処理手段に対してリセットを指示するリセット信号５３１を有線信号により出力する。そして、リセット信号入力部１０にリセット信号１１が入力された場合に該リセット信号に従って自機能処理部５０７のリセットを行い、また、割り込み制御信号出力部５２０から出力した割り込み制御信号５２１に対して応答がない場合に他の半導体装置の機能処理手段に対してリセットを指示するリセット信号５３１をリセット信号出力部５３０が出力する。
【００４６】
また、ベースバンド処理部２０４は、無線通信処理リセット信号入力部２０と、ステータス信号生成部２２０と、を有している。そして、無線処理部３０３は、無線処理部停止制御部３１０を有している。なお、上述した実施の形態と同様の構成については同じ符号を付することにより、ここでは詳細な説明は省略する。また、基本的な動作は実施の形態４の場合と同様である。
【００４７】
実施の形態１や実施の形態４における割込み制御とリセット制御とが、ＣＰＵのような集中制御により機能ユニット１（４０１）を制御する場合に適しているのに対し、本実施の形態にかかる半導体装置は、ＣＰＵのような制御の主体が存在しない、機能ユニットの集合体で構成させるシステムにおいて割込み制御、リセット機能を実現する場合に用いて好適である。
【００４８】
上述した本実施の形態にかかる半導体装置の構成において、割り込み制御信号入力部５１０と割り込み制御信号出力部５２０とは、複数の機能ユニットにおいてデイジーチェーンで接続され信号を共有する。そして、他の機能ユニットに対してデータ転送、データ要求する場合に割り込み制御信号出力部５２０より割り込み制御信号５２１を出力する。また、割り込み制御信号５２１に対して応答がない場合は、同じくデイジーチェーンで接続されたリセット信号出力部５３０よりリセット信号５３１を送信して相手先機能ユニットのリセットを行う。これにより、デイジーチェーンで接続された他の半導体装置の機能ユニットを互いに管理、制御することができる。
【００４９】
実施の形態６．
実施の形態６では、上述した実施の形態４の半導体装置の構成において、機能処理手段のリセットを指示するリセット信号を、自装置向けの無線データが送信される旨の制御信号を基に生成するリセット信号生成部を備える半導体装置について説明する。すなわち、実施の形態６では、上述した実施の形態４の半導体装置の構成においてリセット信号生成部６０を追加した半導体装置について説明する。
【００５０】
図６は、本発明の実施の形態６にかかる半導体装置の概略構成を示す概略構成図である。図６に示すように、本実施の形態にかかる半導体装置は、上述した実施の形態４の場合と同様に、半導体チップ上に、または複数の半導体チップもしくはマルチチップモジュールを用いて構成される無線通信機能および個体識別機能を有する機能ユニット６０１を有する。機能ユニット６０１は、アンテナ部２と、無線処理部３０３と、ベースバンド処理部２０４と、ＢＵＳコントローラ５と、ＲＯＭ―ＳＲＡＭ６と、機能処理部４０７と、リセット信号生成部６０と、を備えて構成されている。
【００５１】
また、機能処理部４０７には、リセット信号入力部１０と、割り込み制御信号入出力部３０と、監視部２１０と、イネーブル信号生成部４１０と、を有している。ベースバンド処理部２０４は、無線通信処理リセット信号入力部２０と、ステータス信号生成部２２０と、を有している。そして、無線処理部３０３は、無線処理部停止制御部３１０を有している。なお、上述した実施の形態と同様の構成については同じ符号を付することにより、ここでは詳細な説明は省略する。
【００５２】
リセット信号生成部６０は、機能処理部４０７のリセットを指示するリセット信号を、自装置向けの無線データが送信される旨の割り込み制御信号３１を基に生成する。このようなリセット信号生成部６０はたとえば、ＡＮＤ素子６１と遅延素子６２からなる回路において遅延素子６２の遅延時間以下のパルス信号が除去されることを利用して構成することができる。割り込み制御信号入出力部３０で使われるパルス幅をこの遅延時間以下で行えばリセット信号は生成されず通常の制御が可能である。また、リセットが必要な場合には、この遅延時間にリセットに必要なパルス幅を加えたパルスを割込み制御信号３１に入力すればリセット信号１２がリセット信号生成部６０において生成され、リセット信号入力部１０に入力される。
【００５３】
上述した本実施の形態にかかる半導体装置においては、リセット信号生成部６０を備えることにより、自機能処理部４０７のリセットを指示するリセット信号１２を半導体装置の内部で生成して該機能処理部４０７に送出することができ、機能ユニット６０１に対する外部からのリセット信号入力を１つ削減することが可能となる。
【００５４】
実施の形態７．
実施の形態７では、上述した実施の形態６で示したリセット信号を半導体装置の内部で生成する方式を実施の形態５で示したデイジーチェーン型の構成の半導体装置に適用した場合について説明する。
【００５５】
図７は、本発明の実施の形態７にかかる半導体装置の概略構成を示す概略構成図である。図７に示すように、本実施の形態にかかる半導体装置は、上述した実施の形態５の場合と同様に、半導体チップ上に、または複数の半導体チップもしくはマルチチップモジュールを用いて構成される無線通信機能および個体識別機能を有する機能ユニット７０１を有する。機能ユニット７０１は、アンテナ部２と、無線処理部３０３と、ベースバンド処理部２０４と、ＢＵＳコントローラ５と、ＲＯＭ―ＳＲＡＭ６と、機能処理部７０７と、を備えて構成されている。
【００５６】
また、機能処理部７０７には、監視部２１０と、イネーブル信号生成部４１０と、リセット信号入力部１０と、リセット信号出力部５３０と、割り込み制御信号入力部５１０と、割り込み制御信号出力部５２０と、リセット・ディスエーブル信号生成部６１０と、を有している。ベースバンド処理部２０４は、無線通信処理リセット信号入力部２０と、ステータス信号生成部２２０と、を有している。そして、無線処理部３０３は、無線処理部停止制御部３１０を有している。なお、上述した実施の形態と同様の構成については同じ符号を付することにより、ここでは詳細な説明は省略する。また、基本的な動作は実施の形態５の場合と同様である。
【００５７】
本実施の形態にかかる半導体装置においては、デイジーチェーン型の接続ではデイジーチェーンを構成する機能ユニットすべてで割込み制御信号が共有されるため、リセット該当機能ユニット以外がリセットされないようにリセット・ディスエーブル信号を生成するリセット・ディスエーブル信号生成部６１０を設け、リセット信号生成部６０に信号を入力するように構成している。これにより、所望の機能ユニットのみがリセットされる。
【００５８】
なお、上記の各実施の形態の構成は、互いに組み合わせることにより、上記の説明に限定されない構成を得ることができ、この場合においても、上記において説明した本発明の効果を得ることができる。
【産業上の利用可能性】
【００５９】
以上のように、本発明にかかる半導体装置は、半導体装置の各種機能や無線通信機能が失われた場合の機能回復に有用であり、さらに、低消費電力動作が要求される用途に適している。
【図面の簡単な説明】
【００６０】
【図１】本発明の実施の形態１にかかる半導体装置の概略構成を示す概略構成図である。
【図２】本発明の実施の形態２にかかる半導体装置の概略構成を示す概略構成図である。
【図３】本発明の実施の形態３にかかる半導体装置の概略構成を示す概略構成図である。
【図４】本発明の実施の形態４にかかる半導体装置の概略構成を示す概略構成図である。
【図５】本発明の実施の形態５にかかる半導体装置の概略構成を示す概略構成図である。
【図６】本発明の実施の形態６にかかる半導体装置の概略構成を示す概略構成図である。
【図７】本発明の実施の形態７にかかる半導体装置の概略構成を示す概略構成図である。
【符号の説明】
【００６１】
１  機能ユニット
２  アンテナ
３  無線処理部
４  ベースバンド処理部
５  ＢＵＳコントローラ
６  ＲＯＭ  ＳＲＡＭ
７  機能処理部
１０  リセット信号入力部
１１  リセット信号
１２  リセット信号
２０  無線通信処理リセット信号入力部
２１  無線通信処理リセット信号
３０  制御信号入出力部
３１  制御信号
６０  リセット信号生成部
６１  ＡＮＤ素子
６２  遅延素子
２０１  機能ユニット
２０４  ベースバンド処理部
２０７  機能処理部
２１０  監視部
２２０  ステータス信号生成部
２３０  無線部ステータス信号
３０１  機能ユニット
３０３  無線処理部
３１０  無線処理部停止制御部
３２０  無線処理部イネーブル信号
３３０  無線処理部イネーブル信号
４０１  機能ユニット
４０７  機能処理部
４１０  イネーブル信号生成部
５０１  機能ユニット
５０７  機能処理部
５１０  制御信号入力部
５１１  制御信号
５２０  制御信号出力部
５２１  制御信号
５３０  リセット信号出力部
５３１  リセット信号
６０１  機能ユニット
６１０  リセット・ディスエーブル信号生成部
７０１  機能ユニット
７０７  機能処理部
【図１】
2006268300.tif 000003
【図２】
2006268300.tif 000004
【図３】
2006268300.tif 000005
【図４】
2006268300.tif 000006
【図５】
2006268300.tif 000007
【図６】
2006268300.tif 000008
【図７】
2006268300.tif 000009